(57)【要約】【課題】基地局が他の基地局のセルのセルタイプ情報を自動的に取得することを図る。【解決手段】端末ＵＥが、基地局（Ｃｅｌｌ＃１）に対して、測定報告として、近隣セルのＰＣＩ及び該近隣セルのセルタイプを示すセルタイプ情報を送信する（ステップＳ１１）。基地局（Ｃｅｌｌ＃１）が、自己のＮＲＴに対して、端末ＵＥからの測定報告に含まれる各近隣セルＣｅｌｌ＃２，Ｃｅｌｌ＃３，Ｃｅｌｌ＃４のセルタイプ情報を記録する（ステップＳ１５）。これにより、基地局（Ｃｅｌｌ＃１）のＮＲＴには、各近隣セルＣｅｌｌ＃２，Ｃｅｌｌ＃３，Ｃｅｌｌ＃４のセルタイプ情報「ｃｅｌｌ−ｔｙｐｅ＃２」，「ｃｅｌｌ−ｔｙｐｅ＃３」，「ｃｅｌｌ−ｔｙｐｅ＃４」が格納される。【選択図】図６
2015177523.tif 000002
【特許請求の範囲】
【請求項１】
無線端末装置から、他の無線基地局装置のセルのセルタイプ情報を含む測定報告を受信することを特徴とする無線基地局装置。
【請求項２】
無線端末装置への情報要求に対する応答として他の無線基地局装置のセルのセルタイプ情報を含む情報報告を受信することを特徴とする無線基地局装置。
【請求項３】
ＡＮＲ機能により前記セルタイプ情報を受信することを特徴とする請求項１又は２のいずれか１項に記載の無線基地局装置。
【請求項４】
前記受信したセルタイプ情報を近隣関係テーブルに格納することを特徴とする請求項３に記載の無線基地局装置。
【請求項５】
前記セルタイプ情報に基づいてハンドオーバに関するホワイトリスト又はブラックリストを作成することを特徴とする請求項１から４のいずれか１項に記載の無線基地局装置。
【請求項６】
自己が接続する無線基地局装置以外の他の無線基地局装置のセルのセルタイプ情報を含む測定報告を無線基地局装置へ送信することを特徴とする無線端末装置。
【請求項７】
無線基地局装置からの情報要求に対する応答として前記無線基地局装置以外の他の無線基地局装置のセルのセルタイプ情報を含む情報報告を送信することを特徴とする無線端末装置。
【請求項８】
無線基地局装置が、無線端末装置から、他の無線基地局装置のセルのセルタイプ情報を含む測定報告を受信するステップ、
を含むことを特徴とするセルタイプ情報取得方法。
【請求項９】
無線基地局装置が、無線端末装置に対して情報要求を行うステップと、
前記無線基地局装置が、前記無線端末装置から、前記情報要求に対する応答として他の無線基地局装置のセルのセルタイプ情報を含む情報報告を受信するステップと、
を含むことを特徴とするセルタイプ情報取得方法。
【請求項１０】
無線基地局装置のコンピュータに、
無線端末装置から、他の無線基地局装置のセルのセルタイプ情報を含む測定報告を受信するステップ、
を実行させるためのコンピュータプログラム。
【請求項１１】
無線基地局装置のコンピュータに、
無線端末装置に対して情報要求を行うステップと、
前記無線端末装置から、前記情報要求に対する応答として他の無線基地局装置のセルのセルタイプ情報を含む情報報告を受信するステップと、
を実行させるためのコンピュータプログラム。
【発明の詳細な説明】
【技術分野】
【０００１】
本発明は、無線基地局装置、無線端末装置、セルタイプ情報取得方法およびコンピュータプログラムに関する。
【背景技術】
【０００２】
近年、ＨｅｔＮｅｔ（Heterogeneous Network）と呼ばれる無線通信ネットワークが知られている。ＨｅｔＮｅｔでは、セルサイズなどが異なる複数のセルが、部分的に又は全部が重複して配置される。３ＧＰＰ（3rd Generation Partnership Project）で標準化作業が進められているＬＴＥ（Long Term Evolution）と呼ばれる無線通信システム（ＬＴＥシステム）では（例えば、非特許文献１，２参照）、ＨｅｔＮｅｔにおいて、異なるタイプの複数のセルを、高い通信速度の通信サービスやトラフィックの負荷分散（トラフィック・オフロード（traffic offloading））などに利用することが検討されている。
【０００３】
また、ＬＴＥシステムでは、ターゲット・セル（Target Cell）のセルタイプ、又は、サービング・セル（Serving Cell）とターゲット・セルのセルタイプに応じて、ハンドオーバ（hand over）・パラメータをスケーリング（Scaling）する技術について検討されている（例えば、非特許文献３，４，５参照）。また、無線リンク障害（Radio Link Failure：RLF）からの回復のために準備される再確立（re-establishment）ターゲット・セルについて検討されている（例えば、非特許文献６参照）。
【先行技術文献】
【非特許文献】
【０００４】
【非特許文献１】3GPP、TS 36.300、“Evolved Universal Terrestrial Radio Access (E-UTRA) and Evolved Universal Terrestrial Radio Access Network (E-UTRAN); Overall description; Stage 2”
【非特許文献２】3GPP TS 32.511、“Telecommunication management; Automatic Neighbour Relation (ANR) management;  Concepts and requirements”
【非特許文献３】3GPP TSG-RAN WG2 Meeting  R2-133584、“UE based solutions for mobility robustness”
【非特許文献４】3GPP TSG RAN WG2 Meeting #84  R2-134300、“Further study on HO parameters scaling based on cell type”、Intel Corporation
【非特許文献５】3GPP TSG RAN WG2 Meeting #84  R2-134098、“Way forward for Hetnet mobility robustness enhancements”、NSN, Nokia
【非特許文献６】3GPP TSG RAN WG2 Meeting #84  R2-133435、“Solutions to improve RLF recovery in HetNet deployment”、Huawei
【発明の概要】
【発明が解決しようとする課題】
【０００５】
上述したハンドオーバ・パラメータのスケーリングや再確立ターゲット・セルの準備などにおいてセルタイプを利用するためには、基地局（E-UTRAN NodeB：eNB）が、自己の近くに在るセルの類型（タイプ（type））を示す情報であるセルタイプ情報を取得し、端末（user equipment：UE）へ通知することが望ましい。しかしながら、従来の基地局は、他の基地局のセルのセルタイプ情報を自動的に取得することができない。このため、運用管理者が基地局に対して他の基地局のセルのセルタイプ情報を手作業で設定するようにすると、コストアップの要因となる。
【０００６】
本発明は、このような事情を考慮してなされたものであり、基地局が他の基地局のセルのセルタイプ情報を自動的に取得することができる、無線基地局装置、無線端末装置、セルタイプ情報取得方法およびコンピュータプログラムを提供することを課題とする。
【課題を解決するための手段】
【０００７】
（１）本発明に係る無線基地局装置は、無線端末装置から、他の無線基地局装置のセルのセルタイプ情報を含む測定報告を受信することを特徴とする。
（２）本発明に係る無線基地局装置は、無線端末装置への情報要求に対する応答として他の無線基地局装置のセルのセルタイプ情報を含む情報報告を受信することを特徴とする。
（３）本発明に係る無線基地局装置は、上記（１）又は（２）のいずれかの無線基地局装置において、ＡＮＲ機能により前記セルタイプ情報を受信することを特徴とする。
（４）本発明に係る無線基地局装置は、上記（３）の無線基地局装置において、前記受信したセルタイプ情報を近隣関係テーブルに格納することを特徴とする。
（５）本発明に係る無線基地局装置は、上記（１）から（４）のいずれかの無線基地局装置において、前記セルタイプ情報に基づいてハンドオーバに関するホワイトリスト又はブラックリストを作成することを特徴とする。
【０００８】
（６）本発明に係る無線端末装置は、自己が接続する無線基地局装置以外の他の無線基地局装置のセルのセルタイプ情報を含む測定報告を無線基地局装置へ送信することを特徴とする。
（７）本発明に係る無線端末装置は、無線基地局装置からの情報要求に対する応答として前記無線基地局装置以外の他の無線基地局装置のセルのセルタイプ情報を含む情報報告を送信することを特徴とする。
【０００９】
（８）本発明に係るセルタイプ情報取得方法は、無線基地局装置が、無線端末装置から、他の無線基地局装置のセルのセルタイプ情報を含む測定報告を受信するステップ、を含むことを特徴とする。
（９）本発明に係るセルタイプ情報取得方法は、無線基地局装置が、無線端末装置に対して情報要求を行うステップと、前記無線基地局装置が、前記無線端末装置から、前記情報要求に対する応答として他の無線基地局装置のセルのセルタイプ情報を含む情報報告を受信するステップと、を含むことを特徴とする。
【００１０】
（１０）本発明に係るセルタイプ情報取得方法は、無線基地局装置のコンピュータに、無線端末装置から、他の無線基地局装置のセルのセルタイプ情報を含む測定報告を受信するステップ、を実行させるためのコンピュータプログラムであることを特徴とする。
（１１）本発明に係るセルタイプ情報取得方法は、無線基地局装置のコンピュータに、無線端末装置に対して情報要求を行うステップと、前記無線端末装置から、前記情報要求に対する応答として他の無線基地局装置のセルのセルタイプ情報を含む情報報告を受信するステップと、を実行させるためのコンピュータプログラムであることを特徴とする。
【発明の効果】
【００１１】
本発明によれば、基地局が他の基地局のセルのセルタイプ情報を自動的に取得することができるという効果が得られる。
【図面の簡単な説明】
【００１２】
【図１】本発明の一実施形態に係るＨｅｔＮｅｔの構成例を示す概念図である。
【図２】本発明の一実施形態に係る端末ＵＥの構成例を示すブロック図である。
【図３】本発明の一実施形態に係る基地局ｅＮＢの構成例を示すブロック図である。
【図４】本発明の一実施形態に係るＮＲＴの構成例を示す図表である。
【図５】本発明の一実施形態に係るＡＮＲ機能部２３１の構成例を示すブロック図である。
【図６】本発明の実施例１に係るセルタイプ情報取得方法の手順を示すシーケンスチャートである。
【図７】本発明の実施例１に係る端末ＵＥ、基地局ｅＮＢ＿ｍ（Ｃｅｌｌ＃１）の処理手順の例を示すシーケンスチャートである。
【図８】本発明の実施例２に係るセルタイプ情報取得方法の手順を示すシーケンスチャートである。
【図９】本発明の実施例２に係る端末ＵＥ、基地局ｅＮＢ＿ｍ（Ｃｅｌｌ＃１）の処理手順の例を示すシーケンスチャートである。
【図１０】本発明の実施例３に係るハンドオーバ方法の手順を示すシーケンスチャートである。
【図１１】本発明の実施例３に係る端末ＵＥ、基地局ｅＮＢ＿ｍ（Ｃｅｌｌ＃１）の処理手順の例を示すシーケンスチャートである。
【図１２】本発明の一実施形態に係るセルタイプ情報の構成例を示す図表である。
【図１３】本発明の一実施形態に係るセルタイプ情報の構成例を示す図表である。
【発明を実施するための形態】
【００１３】
以下、図面を参照し、本発明の一実施形態について説明する。本実施形態では、無線通信システムの一例として、ＬＴＥシステムを挙げて説明する。
【００１４】
図１は、本発明の一実施形態に係るＨｅｔＮｅｔの構成例を示す概念図である。図１において、マクロセル基地局ｅＮＢ＿ｍ１，ｅＮＢ＿ｍ２は、それぞれマクロセル（Macro cell）Ｃ＿ｍ１，Ｃ＿ｍ２を提供する。スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７は、それぞれスモールセル（Small cell）Ｃ＿ｓ１，Ｃ＿ｓ２，Ｃ＿ｓ３，Ｃ＿ｓ４，Ｃ＿ｓ５，Ｃ＿ｓ６，Ｃ＿ｓ７を提供する。マクロセルＣ＿ｍ１，Ｃ＿ｍ２は、スモールセルＣ＿ｓ１，Ｃ＿ｓ２，Ｃ＿ｓ３，Ｃ＿ｓ４，Ｃ＿ｓ５，Ｃ＿ｓ６，Ｃ＿ｓ７よりも、カバレッジ（coverage）が広い。マクロセルＣ＿ｍ１とＣ＿ｍ２は、部分的に重複して配置されている。スモールセルＣ＿ｓ１，Ｃ＿ｓ２，Ｃ＿ｓ３，Ｃ＿ｓ４は、マクロセルＣ＿ｍ１に対して重複して配置されている。スモールセルＣ＿ｓ４，Ｃ＿ｓ５，Ｃ＿ｓ６，Ｃ＿ｓ７は、マクロセルＣ＿ｍ２に対して重複して配置されている。
【００１５】
以下、マクロセル基地局ｅＮＢ＿ｍ１，ｅＮＢ＿ｍ２を特に区別しないときは「マクロセル基地局ｅＮＢ＿ｍ」と称する。また、スモールセル基地局ｅＮＢ＿ｓ１，ｅＮＢ＿ｓ２，ｅＮＢ＿ｓ３，ｅＮＢ＿ｓ４，ｅＮＢ＿ｓ５，ｅＮＢ＿ｓ６，ｅＮＢ＿ｓ７を特に区別しないときは「スモールセル基地局ｅＮＢ＿ｓ」と称する。また、マクロセル基地局ｅＮＢ＿ｍとスモールセル基地局ｅＮＢ＿ｓを特に区別しないときは「基地局ｅＮＢ」と称する。
【００１６】
端末ＵＥは、マクロセル基地局ｅＮＢ＿ｍおよびスモールセル基地局ｅＮＢ＿ｓの両方に接続することができる。端末ＵＥは、図１中の矢印の方向に移動しながら、適宜、ハンドオーバにより接続先の基地局ｅＮＢを変更することができる。
【００１７】
図２は、本発明の一実施形態に係る端末（無線端末装置）ＵＥの構成例を示すブロック図である。図２において、端末ＵＥは、無線通信部１１、制御部１２、記憶部１３、入力部１４及び出力部１５を備える。無線通信部１１、制御部１２、記憶部１３、入力部１４及び出力部１５は相互にデータを送受できるように接続されている。無線通信部１１は、マクロセル基地局ｅＮＢ＿ｍ及びスモールセル基地局ｅＮＢ＿ｓに無線接続できる。無線通信部１１は、無線接続している基地局ｅＮＢを介して、他の装置と通信する。
【００１８】
制御部１２は端末ＵＥに係る動作の制御を行う。記憶部１３はデータを格納する。入力部１４はデータの入力を行う。出力部１５はデータの出力を行う。入力部１４として、例えば、キーボード、テンキー、マウス等の入力デバイス、音声を入力するマイクロホン、近距離無線通信の受信デバイスなどが挙げられる。出力部１５として、例えば、液晶表示装置等の表示デバイス、音声を出力するスピーカ、近距離無線通信の送信デバイスなどが挙げられる。また、入力デバイスと表示デバイスの両方の機能を有するタッチパネルを備えてもよい。端末ＵＥとして、例えば、スマートフォンやタブレット型のコンピュータ（タブレットＰＣ）等の携帯通信端末装置が挙げられる。
【００１９】
図３は、本発明の一実施形態に係る基地局（無線基地局装置）ｅＮＢの構成例を示すブロック図である。図３において、基地局ｅＮＢは、無線通信部２１、通信部２２、制御部２３及び記憶部２４を備える。無線通信部２１、通信部２２、制御部２３及び記憶部２４は相互にデータを送受できるように接続されている。無線通信部２１は端末ＵＥと無線通信する。通信部２２は、バックボーンネットワークを介して他の装置と通信する。制御部２３は基地局ｅＮＢに係る動作の制御を行う。記憶部２４はデータを格納する。
【００２０】
制御部２３は、ＡＮＲ（Automatic Neighbor Relation）機能部２３１を有する。ＡＮＲ機能部２３１は、自基地局ｅＮＢの近くに在るセルとの関係を自動的に取得するための処理を行う。なお、ＬＴＥシステムにおけるＡＮＲ機能（Automatic Neighbor Relation Function）は、例えば非特許文献１，２に開示されている。
【００２１】
記憶部２４は、近隣関係テーブル（Neighbor Relation Table：NRT）２４１を有する。ＮＲＴ＿２４１は、自基地局ｅＮＢの近くに在るセルとの関係を示す情報を格納する。なお、ＬＴＥシステムにおけるＮＲＴは、例えば非特許文献１に開示されている。
【００２２】
図４は、本実施形態に係るＮＲＴの構成例を示す図表である。本実施形態では、ＮＲＴ＿２４１に対して、従来のＬＴＥシステムにおけるＮＲＴには無かったセルタイプ情報を追加する。図４において、ＮＲＴ＿２４１は、近隣関係（Neighbor Relation：NR）毎に、ＴＣＩ（Target Cell Identifier）と削除禁止フラグ（No Remove）とハンドオーバ禁止フラグ（No HO）とＸ２回線無しフラグ（No X2）とセルタイプ情報（Cell Type）を格納する。図４中、○印は該当フラグの有りを示す。
【００２３】
ＴＣＩは「E-UTRAN Cell Global Identifier（ECGI）」と「Physical cell identifier（PCI）」とから構成される。削除禁止フラグは、当該近隣関係のエントリ（ＮＲＴ＿２４１に登録されている情報）の削除を禁止することを示す。ハンドオーバ禁止フラグは、当該近隣関係のセルへのハンドオーバを禁止することを示す。Ｘ２回線無しフラグは、当該近隣関係の基地局ｅＮＢとの間に、Ｘ２回線が確立されていないことを示す。Ｘ２回線は、ＬＴＥシステムにおいて基地局ｅＮＢ間を接続するための回線である。セルタイプ情報は、当該近隣関係のセルのセルタイプを示す。
【００２４】
図４の例では、識別子「１」で特定される近隣関係の情報として、ＴＣＩ「ＴＣＩ＃１」と削除禁止フラグ「無し」とハンドオーバ禁止フラグ「無し」とＸ２回線無しフラグ「無し」とセルタイプ情報「Ｔｙｐｅ＃１」とが、ＮＲＴ＿２４１に格納されている。また、識別子「２」で特定される近隣関係の情報として、ＴＣＩ「ＴＣＩ＃２」と削除禁止フラグ「有り」とハンドオーバ禁止フラグ「無し」とＸ２回線無しフラグ「有り」とセルタイプ情報「Ｔｙｐｅ＃２」とが、ＮＲＴ＿２４１に格納されている。また、識別子「３」で特定される近隣関係の情報として、ＴＣＩ「ＴＣＩ＃３」と削除禁止フラグ「有り」とハンドオーバ禁止フラグ「無し」とＸ２回線無しフラグ「無し」とセルタイプ情報「Ｔｙｐｅ＃３」とが、ＮＲＴ＿２４１に格納されている。
【００２５】
図５は、本実施形態に係るＡＮＲ機能部２３１の構成例を示すブロック図である。図５において、ＡＮＲ機能部２３１は、NRT管理機能（NRT Management Function）部２３１ａと近隣除去機能（Neighbor Removal Function）部２３１ｂと近隣検出機能（Neighbor Detection Function）部２３１ｃを有する。
【００２６】
NRT管理機能部２３１ａはＮＲＴ＿２４１を管理する。NRT管理機能部２３１ａは、ＬＴＥシステムの運用・保守装置（Ｏ＆Ｍ）から、近隣関係の追加や更新の指示を受ける。NRT管理機能部２３１ａは、該運用・保守装置（Ｏ＆Ｍ）に対して、近隣関係の報告を行う。NRT管理機能部２３１ａは、近隣除去機能部２３１ｂから、近隣関係の除去の指示を受ける。NRT管理機能部２３１ａは、近隣除去機能部２３１ｂから受けた近隣関係の除去の指示に基づいて、ＮＲＴ＿２４１から、該当の近隣関係のエントリを除去する。NRT管理機能部２３１ａは、近隣検出機能部２３１ｃから、近隣関係の追加の指示を受ける。NRT管理機能部２３１ａは、近隣検出機能部２３１ｃから受けた近隣関係の追加の指示に基づいて、ＮＲＴ＿２４１に対して、該当の近隣関係のエントリを追加する。
【００２７】
近隣除去機能部２３１ｂは、自基地局ｅＮＢの内部で生成された近隣関係情報２３１０に基づいて、NRT管理機能部２３１ａに対し、近隣関係の除去の指示を行う。
【００２８】
近隣検出機能部２３１ｃは、ＲＲＣ（Radio Resource Control）部２３２から、端末ＵＥによる測定報告（Measurement Report：MR）を受信する。近隣検出機能部２３１ｃは、ＲＲＣ部２３２に対して、端末ＵＥによる測定を要求する。近隣検出機能部２３１ｃは、ＲＲＣ部２３２から受信した端末ＵＥによる測定報告に基づいて、NRT管理機能部２３１ａに対し、近隣関係の追加の指示を行う。
【００２９】
なお、ＲＲＣ部２３２は、基地局ｅＮＢにおいて制御部２３の一機能部として構成される。
【００３０】
次に、本実施形態に係る実施例を説明する。
【実施例１】
【００３１】
実施例１では、基地局ｅＮＢがＡＮＲ機能により他の基地局ｅＮＢのセルのセルタイプ情報を取得する。図６は、本発明の実施例１に係るセルタイプ情報取得方法の手順を示すシーケンスチャートである。図６の例では、端末ＵＥは、マクロセルＣｅｌｌ＃１のマクロセル基地局ｅＮＢ＿ｍ（以下、基地局ｅＮＢ＿ｍ（Ｃｅｌｌ＃１）と称する）に接続している（ＲＲＣ接続状態（RRC_CONNECTED））。マクロセルＣｅｌｌ＃１内には、スモールセルＣｅｌｌ＃３が配置されている。また、マクロセルＣｅｌｌ＃１の近隣にはマクロセルＣｅｌｌ＃２が配置されている。マクロセルＣｅｌｌ＃２内には、スモールセルＣｅｌｌ＃４が配置されている。
【００３２】
（ステップＳ１１）  端末ＵＥが、基地局ｅＮＢ＿ｍ（Ｃｅｌｌ＃１）に対して、測定報告として、信号の強度が強いと判定された近隣セルのＰＣＩ及び該近隣セルのセルタイプを示すセルタイプ情報を送信する。図６の例では、該近隣セルは、マクロセルＣｅｌｌ＃２及びスモールセルＣｅｌｌ＃３，Ｃｅｌｌ＃４であるとする。なお、セルタイプ情報は、近隣セルの測定結果から取得されてもよく、又は、近隣セルの基地局ｅＮＢから取得されてもよい。
【００３３】
（ステップＳ１２）  基地局ｅＮＢ＿ｍ（Ｃｅｌｌ＃１）が、端末ＵＥに対して、端末ＵＥから受信した測定報告に含まれるＰＣＩの近隣セルに関するＧＣＩ（global cell identifier）及びその他の所定情報を要求する。
【００３４】
（ステップＳ１３）  端末ＵＥが、基地局ｅＮＢ＿ｍ（Ｃｅｌｌ＃１）からの要求に応じて、近隣セルＣｅｌｌ＃２，Ｃｅｌｌ＃３，Ｃｅｌｌ＃４のそれぞれのＢＣＣＨ（broadcasting channel）の信号を受信する。各近隣セルＣｅｌｌ＃２，Ｃｅｌｌ＃３，Ｃｅｌｌ＃４のＢＣＣＨの受信信号から、各近隣セルＣｅｌｌ＃２，Ｃｅｌｌ＃３，Ｃｅｌｌ＃４のＧＣＩ及びその他の所定情報が取得される。
【００３５】
（ステップＳ１４）  端末ＵＥが、基地局ｅＮＢ＿ｍ（Ｃｅｌｌ＃１）に対して、近隣セルＣｅｌｌ＃２，Ｃｅｌｌ＃３，Ｃｅｌｌ＃４のそれぞれのＧＣＩ及びその他の所定情報を送信する。
【００３６】
（ステップＳ１５）  基地局ｅＮＢ＿ｍ（Ｃｅｌｌ＃１）が、自己のＮＲＴ＿２４１に対して、端末ＵＥからの測定報告に含まれる各近隣セルＣｅｌｌ＃２，Ｃｅｌｌ＃３，Ｃｅｌｌ＃４のセルタイプ情報を記録する。これにより、基地局ｅＮＢ＿ｍ（Ｃｅｌｌ＃１）のＮＲＴ＿２４１には、各近隣セルＣｅｌｌ＃２，Ｃｅｌｌ＃３，Ｃｅｌｌ＃４のセルタイプ情報「ｃｅｌｌ−ｔｙｐｅ＃２」，「ｃｅｌｌ−ｔｙｐｅ＃３」，「ｃｅｌｌ−ｔｙｐｅ＃４」が格納される。
【００３７】
次に、図７を参照して、本実施例１に係る端末ＵＥ、基地局ｅＮＢの動作の例を説明する。図７は、本発明の実施例１に係る端末ＵＥ、基地局ｅＮＢ＿ｍ（Ｃｅｌｌ＃１）の処理手順の例を示すシーケンスチャートである。図７の例は、図６に示されるセル配置例に対応している。端末ＵＥは、基地局ｅＮＢ＿ｍ（Ｃｅｌｌ＃１）に接続している（RRC_CONNECTED）。
【００３８】
（ステップＳ２１）  基地局ｅＮＢ＿ｍ（Ｃｅｌｌ＃１）のＡＮＲ機能部２３１が、端末ＵＥに対して、無線通信部２１により近隣セルの測定を要求する。
【００３９】
（ステップＳ２２）  端末ＵＥが、基地局ｅＮＢ＿ｍ（Ｃｅｌｌ＃１）からの要求に応じて、無線通信部１１により近隣セルの測定を行う。この近隣セルの測定では、基地局ｅＮＢ＿ｍ（Ｃｅｌｌ＃１）と同一周波数帯を使用する基地局ｅＮＢのセル（intra-frequency neighboring cell）、及び、基地局ｅＮＢ＿ｍ（Ｃｅｌｌ＃１）と異なる周波数帯を使用する基地局ｅＮＢのセル（inter-frequency neighboring cell）を測定対象にする。
【００４０】
（ステップＳ２３）  端末ＵＥが、基地局ｅＮＢ＿ｍ（Ｃｅｌｌ＃１）に対して、無線通信部１１により、測定報告として、近隣セルのＰＣＩ及び該近隣セルのセルタイプを示すセルタイプ情報を送信する。ここでは、該近隣セルは、マクロセルＣｅｌｌ＃２及びスモールセルＣｅｌｌ＃３，Ｃｅｌｌ＃４であるとする。なお、セルタイプ情報は、近隣セルの測定結果から取得されてもよく、又は、近隣セルの基地局ｅＮＢから取得されてもよい。
【００４１】
基地局ｅＮＢ＿ｍ（Ｃｅｌｌ＃１）のＡＮＲ機能部２３１は、無線通信部２１により、端末ＵＥからの測定報告を受信する。なお、近隣セルの測定報告には、各セルが使用する周波数帯のリストと、各セルがサポートする機能のリストなども含まれる。
【００４２】
（ステップＳ２４）  基地局ｅＮＢ＿ｍ（Ｃｅｌｌ＃１）のＡＮＲ機能部２３１が、端末ＵＥに対して、無線通信部２１により、端末ＵＥから受信した測定報告に含まれるＰＣＩの近隣セルに関するＧＣＩ及びその他の所定情報を要求する。該その他の所定情報として、例えば、ＥＣＧＩ、ＴＡＣ、「ＰＬＭＮ ＩＤ」などが挙げられる。
【００４３】
（ステップＳ２５）  端末ＵＥが、基地局ｅＮＢ＿ｍ（Ｃｅｌｌ＃１）からの要求に応じて、無線通信部１１により、近隣セルＣｅｌｌ＃２，Ｃｅｌｌ＃３，Ｃｅｌｌ＃４のそれぞれのＢＣＣＨの信号を受信する。端末ＵＥは、各近隣セルＣｅｌｌ＃２，Ｃｅｌｌ＃３，Ｃｅｌｌ＃４のＢＣＣＨの受信信号から、各近隣セルＣｅｌｌ＃２，Ｃｅｌｌ＃３，Ｃｅｌｌ＃４のＧＣＩ及びその他の所定情報を取得する。そして、端末ＵＥが、基地局ｅＮＢ＿ｍ（Ｃｅｌｌ＃１）に対して、無線通信部１１により、近隣セルＣｅｌｌ＃２，Ｃｅｌｌ＃３，Ｃｅｌｌ＃４のそれぞれのＧＣＩ及びその他の所定情報を送信する。
【００４４】
（ステップＳ２６）  基地局ｅＮＢ＿ｍ（Ｃｅｌｌ＃１）のＡＮＲ機能部２３１が、自基地局のＮＲＴ＿２４１に対して更新を行う。このＮＲＴ＿２４１の更新では、端末ＵＥからの測定報告に含まれる各近隣セルＣｅｌｌ＃２，Ｃｅｌｌ＃３，Ｃｅｌｌ＃４のセルタイプ情報を、該当する近隣関係の情報として記録する。
【００４５】
なお、上述した実施例１では、マクロセル基地局ｅＮＢ＿ｍがＡＮＲ機能により近隣セルのセルタイプ情報を取得したが、同様に、スモールセル基地局ｅＮＢ＿ｓがＡＮＲ機能により近隣セルのセルタイプ情報を取得してもよい。
【００４６】
本実施例１では、基地局ｅＮＢは、ＡＮＲ機能における端末ＵＥからの測定報告によって、近隣セルのセルタイプ情報を取得できる。
【実施例２】
【００４７】
実施例２は、実施例１と同様に基地局ｅＮＢがＡＮＲ機能により他の基地局ｅＮＢのセルのセルタイプ情報を取得する方法であって他の例である。図８は、本発明の実施例２に係るセルタイプ情報取得方法の手順を示すシーケンスチャートである。図８のセル配置例は、図６と同じである。端末ＵＥは、基地局ｅＮＢ＿ｍ（Ｃｅｌｌ＃１）に接続している（RRC_CONNECTED）。
【００４８】
（ステップＳ３１）  端末ＵＥが、基地局ｅＮＢ＿ｍ（Ｃｅｌｌ＃１）に対して、測定報告として、信号の強度が強いと判定された近隣セルのＰＣＩを送信する。図８の例では、該近隣セルは、マクロセルＣｅｌｌ＃２及びスモールセルＣｅｌｌ＃３，Ｃｅｌｌ＃４であるとする。
【００４９】
（ステップＳ３２）  基地局ｅＮＢ＿ｍ（Ｃｅｌｌ＃１）が、端末ＵＥに対して、端末ＵＥから受信した測定報告に含まれるＰＣＩの近隣セルに関するＧＣＩ、セルタイプ情報及びその他の所定情報を要求する。
【００５０】
（ステップＳ３３）  端末ＵＥが、基地局ｅＮＢ＿ｍ（Ｃｅｌｌ＃１）からの要求に応じて、近隣セルＣｅｌｌ＃２，Ｃｅｌｌ＃３，Ｃｅｌｌ＃４のそれぞれのＢＣＣＨの信号を受信する。各近隣セルＣｅｌｌ＃２，Ｃｅｌｌ＃３，Ｃｅｌｌ＃４のＢＣＣＨの受信信号から、各近隣セルＣｅｌｌ＃２，Ｃｅｌｌ＃３，Ｃｅｌｌ＃４のＧＣＩ及びその他の所定情報が取得される。
【００５１】
（ステップＳ３４）  端末ＵＥが、基地局ｅＮＢ＿ｍ（Ｃｅｌｌ＃１）に対して、近隣セルＣｅｌｌ＃２，Ｃｅｌｌ＃３，Ｃｅｌｌ＃４のそれぞれのＧＣＩ、セルタイプ情報及びその他の所定情報を送信する。なお、セルタイプ情報は、近隣セルの測定結果から取得されてもよく、又は、近隣セルの基地局ｅＮＢから取得されてもよい。
【００５２】
（ステップＳ３５）  基地局ｅＮＢ＿ｍ（Ｃｅｌｌ＃１）が、自己のＮＲＴ＿２４１に対して、端末ＵＥから受信した各近隣セルＣｅｌｌ＃２，Ｃｅｌｌ＃３，Ｃｅｌｌ＃４のセルタイプ情報を記録する。これにより、基地局ｅＮＢ＿ｍ（Ｃｅｌｌ＃１）のＮＲＴ＿２４１には、各近隣セルＣｅｌｌ＃２，Ｃｅｌｌ＃３，Ｃｅｌｌ＃４のセルタイプ情報「ｃｅｌｌ−ｔｙｐｅ＃２」，「ｃｅｌｌ−ｔｙｐｅ＃３」，「ｃｅｌｌ−ｔｙｐｅ＃４」が格納される。
【００５３】
次に、図９を参照して、本実施例２に係る端末ＵＥ、基地局ｅＮＢの動作の例を説明する。図９は、本発明の実施例２に係る端末ＵＥ、基地局ｅＮＢ＿ｍ（Ｃｅｌｌ＃１）の処理手順の例を示すシーケンスチャートである。図９の例は、図８に示されるセル配置例に対応している。端末ＵＥは、基地局ｅＮＢ＿ｍ（Ｃｅｌｌ＃１）に接続している（RRC_CONNECTED）。
【００５４】
（ステップＳ４１）  基地局ｅＮＢ＿ｍ（Ｃｅｌｌ＃１）のＡＮＲ機能部２３１が、端末ＵＥに対して、無線通信部２１により近隣セルの測定を要求する。
【００５５】
（ステップＳ４２）  端末ＵＥが、基地局ｅＮＢ＿ｍ（Ｃｅｌｌ＃１）からの要求に応じて、無線通信部１１により近隣セルの測定を行う。この近隣セルの測定では、基地局ｅＮＢ＿ｍ（Ｃｅｌｌ＃１）と同一周波数帯を使用する基地局ｅＮＢのセル、及び、基地局ｅＮＢ＿ｍ（Ｃｅｌｌ＃１）と異なる周波数帯を使用する基地局ｅＮＢのセルを測定対象にする。
【００５６】
（ステップＳ４３）  端末ＵＥが、基地局ｅＮＢ＿ｍ（Ｃｅｌｌ＃１）に対して、無線通信部１１により、測定報告として、近隣セルのＰＣＩを送信する。ここでは、該近隣セルは、マクロセルＣｅｌｌ＃２及びスモールセルＣｅｌｌ＃３，Ｃｅｌｌ＃４であるとする。基地局ｅＮＢ＿ｍ（Ｃｅｌｌ＃１）のＡＮＲ機能部２３１は、無線通信部２１により、端末ＵＥからの測定報告を受信する。なお、近隣セルの測定報告には、各セルが使用する周波数帯のリストと、各セルがサポートする機能のリストなども含まれる。
【００５７】
（ステップＳ４４）  基地局ｅＮＢ＿ｍ（Ｃｅｌｌ＃１）のＡＮＲ機能部２３１が、端末ＵＥに対して、無線通信部２１により、端末ＵＥから受信した測定報告に含まれるＰＣＩの近隣セルに関するＧＣＩ、セルタイプ情報及びその他の所定情報を要求する。該その他の所定情報として、例えば、ＥＣＧＩ、ＴＡＣ、「ＰＬＭＮ ＩＤ」などが挙げられる。
【００５８】
（ステップＳ４５）  端末ＵＥが、基地局ｅＮＢ＿ｍ（Ｃｅｌｌ＃１）からの要求に応じて、無線通信部１１により、近隣セルＣｅｌｌ＃２，Ｃｅｌｌ＃３，Ｃｅｌｌ＃４のそれぞれのＢＣＣＨの信号を受信する。端末ＵＥは、各近隣セルＣｅｌｌ＃２，Ｃｅｌｌ＃３，Ｃｅｌｌ＃４のＢＣＣＨの受信信号から、各近隣セルＣｅｌｌ＃２，Ｃｅｌｌ＃３，Ｃｅｌｌ＃４のＧＣＩ及びその他の所定情報を取得する。そして、端末ＵＥが、基地局ｅＮＢ＿ｍ（Ｃｅｌｌ＃１）に対して、無線通信部１１により、近隣セルＣｅｌｌ＃２，Ｃｅｌｌ＃３，Ｃｅｌｌ＃４のそれぞれのＧＣＩ、セルタイプ情報及びその他の所定情報を送信する。なお、セルタイプ情報は、近隣セルの測定結果から取得されてもよく、又は、近隣セルの基地局ｅＮＢから取得されてもよい。
【００５９】
（ステップＳ４６）  基地局ｅＮＢ＿ｍ（Ｃｅｌｌ＃１）のＡＮＲ機能部２３１が、自基地局のＮＲＴ＿２４１に対して更新を行う。このＮＲＴ＿２４１の更新では、端末ＵＥから受信された各近隣セルＣｅｌｌ＃２，Ｃｅｌｌ＃３，Ｃｅｌｌ＃４のセルタイプ情報を、該当する近隣関係の情報として記録する。
【００６０】
なお、上述した実施例２では、マクロセル基地局ｅＮＢ＿ｍがＡＮＲ機能により近隣セルのセルタイプ情報を取得したが、同様に、スモールセル基地局ｅＮＢ＿ｓがＡＮＲ機能により近隣セルのセルタイプ情報を取得してもよい。
【００６１】
本実施例２では、基地局ｅＮＢは、ＡＮＲ機能における、端末ＵＥへの近隣セルの情報要求に対する該端末ＵＥからの情報報告によって、近隣セルのセルタイプ情報を取得できる。
【実施例３】
【００６２】
実施例３では、セルタイプ情報を、ハンドオーバ・パラメータのスケーリングに利用する。図１０は本発明の実施例３に係るハンドオーバ方法の手順を示すシーケンスチャートである。図１０の例では、端末ＵＥは、マクロセルＣｅｌｌ＃１のマクロセル基地局ｅＮＢ＿ｍ（以下、基地局ｅＮＢ＿ｍ（Ｃｅｌｌ＃１）と称する）に接続している（RRC_CONNECTED）。マクロセルＣｅｌｌ＃１内には、スモールセルＣｅｌｌ＃２が配置されている。
【００６３】
（ステップＳ５１）  基地局ｅＮＢ＿ｍ（Ｃｅｌｌ＃１）が、端末ＵＥに対して、ハンドオーバに関するホワイトリスト又はブラックリストと、ＮＲＴ＿２４１に格納されている近隣セルのセルタイプ情報とを送信する。ハンドオーバに関するホワイトリスト（以下、単にホワイトリストと称する）は、当該基地局ｅＮＢ＿ｍ（Ｃｅｌｌ＃１）からのハンドオーバのターゲット・セル候補のリストである。但し、該ターゲット・セル候補は、当該基地局ｅＮＢ＿ｍ（Ｃｅｌｌ＃１）の近隣セルのセルタイプ情報に基づいて選択されている。ハンドオーバに関するブラックリスト（以下、単にブラックリストと称する）は、当該基地局ｅＮＢ＿ｍ（Ｃｅｌｌ＃１）からのハンドオーバのターゲット・セルとして利用禁止のセル（以下、ハンドオーバ禁止セルと称する）のリストである。但し、該ハンドオーバ禁止セルは、当該基地局ｅＮＢ＿ｍ（Ｃｅｌｌ＃１）の近隣セルのセルタイプ情報に基づいて選択されている。
【００６４】
（ステップＳ５２）  端末ＵＥが、基地局ｅＮＢ＿ｍ（Ｃｅｌｌ＃１）から受信したホワイトリスト又はブラックリストに基づいて、ターゲット・セルを選択する。また、端末ＵＥが、近隣セルのセルタイプ情報に基づいて、ハンドオーバ・パラメータのスケーリングを行う。このハンドオーバ・パラメータのスケーリングでは、ターゲット・セルのセルタイプ、又は、ターゲット・セルとソース・セル（Source Cell）の両方のセルタイプに基づいてハンドオーバ・パラメータを調整する。
【００６５】
（ステップＳ５３）  端末ＵＥが、ターゲット・セルであるスモールセルＣｅｌｌ＃２のスモールセル基地局ｅＮＢ＿ｓの信号の電力を計測し、ステップＳ５２で決定したハンドオーバ・パラメータを用いてハンドオーバ実施のためのＭＲ（Measurement Report）の送信判定を行う。
【００６６】
（ステップＳ５４）  ステップＳ５３でＭＲの送信判定条件を満たすことにより「ＭＲを送信する」と判定されると、端末ＵＥが、基地局ｅＮＢ＿ｍ（Ｃｅｌｌ＃１）に対して、ＭＲを送信する。
【００６７】
（ステップＳ５５）  端末ＵＥからＭＲを受信した基地局ｅＮＢ＿ｍ（Ｃｅｌｌ＃１）が、該端末ＵＥに対して、ターゲット・セルであるスモールセルＣｅｌｌ＃２へのハンドオーバを指示する。そして、該端末ＵＥがスモールセルＣｅｌｌ＃２へのハンドオーバを実行する。
【００６８】
次に、図１１を参照して、本実施例３に係る端末ＵＥ、基地局ｅＮＢの動作の例を説明する。図１１は、本発明の実施例３に係る端末ＵＥ、基地局ｅＮＢ＿ｍ（Ｃｅｌｌ＃１）の処理手順の例を示すシーケンスチャートである。図１１の例は、図１０に示されるセル配置例に対応している。端末ＵＥは、基地局ｅＮＢ＿ｍ（Ｃｅｌｌ＃１）に接続している（RRC_CONNECTED）。
【００６９】
（ステップＳ６１）  基地局ｅＮＢ＿ｍ（Ｃｅｌｌ＃１）の制御部２３が、自基地局のＮＲＴ＿２４１に格納されている近隣セルのセルタイプ情報に基づいて、ホワイトリスト又はブラックリストを作成する。なお、ホワイトリスト又はブラックリストの作成には、近隣セルのセルタイプ情報以外の情報も使用するようにしてもよい。
【００７０】
（ステップＳ６２）  基地局ｅＮＢ＿ｍ（Ｃｅｌｌ＃１）の制御部２３が、端末ＵＥに対して、無線通信部２１により、ホワイトリスト又はブラックリストと、ＮＲＴ＿２４１に格納されている近隣セルのセルタイプ情報とを送信する。
【００７１】
（ステップＳ６３）  端末ＵＥの制御部１２が、基地局ｅＮＢ＿ｍ（Ｃｅｌｌ＃１）から受信したホワイトリスト又はブラックリストと、近隣セルのセルタイプ情報とに基づいて、ハンドオーバ先の選択とハンドオーバ・パラメータのスケーリングを行う。このハンドオーバ・パラメータのスケーリングでは、ターゲット・セルのセルタイプ、又は、ターゲット・セルとソース・セルの両方のセルタイプに基づいてハンドオーバ・パラメータを調整する。
【００７２】
（ステップＳ６４）  端末ＵＥの制御部１２が、ターゲット・セルであるスモールセルＣｅｌｌ＃２のスモールセル基地局ｅＮＢ＿ｓに対して、ハンドオーバの準備のための信号電力の計測を実施する。このハンドオーバの準備には、ステップＳ６３でスケーリングされたハンドオーバ・パラメータが使用される。
【００７３】
（ステップＳ６５）  端末ＵＥが、ターゲット・セルであるスモールセルＣｅｌｌ＃２へのハンドオーバを実行する。
【００７４】
本実施例３によれば、ターゲット・セルのセルタイプ、又は、ターゲット・セルとソース・セルの両方のセルタイプを、ハンドオーバ・パラメータのスケーリングに利用できる。
【００７５】
また、基地局ｅＮＢは、近隣セルのセルタイプ情報に基づいて、ホワイトリスト又はブラックリストを作成することができる。
【００７６】
次に、本実施形態に係るセルタイプ情報の例を説明する。セルタイプ情報は、セルに関連する情報として定義される。
【００７７】
［例１：セルのカバレッジ、又は、基地局の送信電力に基づくセルタイプ情報］
セルタイプ情報は、セルのカバレッジ、又は、基地局の送信電力に基づいて定義することができる。図１２は、該セルタイプ情報の構成例を示す図表である。図１２の例では、セルタイプとして、マクロセル、スモールセル、ピコセル（Pico cell）、フェムトセル（Femto cell）が定義される。各セルタイプにはセルタイプ識別子（セルタイプＩＤ）が割り当てられる。図１２の例では、セルタイプ情報として、セルタイプＩＤ「０」，「１」，「２」，「３」を表すための２ビットで構成できる。
【００７８】
［例２：セルの役割、又は、セルの地理的な位置に基づくセルタイプ情報］
セルタイプ情報は、セルの役割、又は、セルの地理的な位置に基づいて定義することができる。図１３は、該セルタイプ情報の構成例を示す図表である。図１３の例では、セルタイプとして、トラフィック・オフロード、カバレッジ補完が定義される。トラフィック・オフロード用のセルとして、例えば、セルのカバレッジ内に配置されたセルが挙げられる。カバレッジ補完用のセルとして、例えば、セルのエッジ付近に配置されたセルが挙げられる。各セルタイプにはセルタイプＩＤが割り当てられる。図１３の例では、セルタイプ情報として、セルタイプＩＤ「０」，「１」を表すための１ビットで構成できる。
【００７９】
［例３：セルの在る場所に基づくセルタイプ情報］
セルタイプ情報は、セルの在る場所に基づいて定義することができる。例えば、建物の内部に在るセルと、建物の外部に在るセルとをそれぞれ別のセルタイプとして定義して区別することが挙げられる。
【００８０】
［例４：建物の内部に在るセルに対してセルの在る場所の高さに基づくセルタイプ情報］
セルタイプ情報は、建物の内部に在るセルに対してセルの在る場所の高さに基づいて定義することができる。例えば、同一建物内に在るセルに対して、高層階に在るセルと、低層階に在るセルとをそれぞれ別のセルタイプとして定義して区別することが挙げられる。
【００８１】
上述したセルタイプ情報の例は、それぞれ単独で使用されてもよく、又は、複数を組み合わせて使用されてもよい。例えば、上述した例１と例２のセルタイプ情報を組み合わせることが挙げられる。具体例として、
・トラフィック・オフロード且つスモールセル
・トラフィック・オフロード且つピコセル
・トラフィック・オフロード且つフェムトセル
・カバレッジ補完且つスモールセル
・カバレッジ補完且つピコセル
・カバレッジ補完且つフェムトセル
などのセルタイプ情報が挙げられる。
【００８２】
上述した実施形態によれば、以下に示す効果が得られる。
（１）基地局が他の基地局のセルのセルタイプ情報を自動的に取得することができる。
（２）基地局が保持するセルタイプ情報に基づいて、端末の移動性の向上のために、より多くの情報を提供できる。これにより、例えば、ＲＲＣ接続状態（RRC_CONNECTED）におけるハンドオーバを円滑に行うことができる。また、ＲＲＣ接続状態における無線リンク障害（ＲＬＦ）からの回復を円滑に行うことができる。
（３）基地局は、自己で保持するセルタイプ情報を、ハンドオーバの失敗や無線リンク障害を低減させることに活用できる。
（４）基地局は、近隣セルのセルタイプ情報に基づいてハンドオーバのホワイトリストやブラックリストを作成できる。このホワイトリストやブラックリストに基づいて、例えば、ＨｅｔＮｅｔにおいてスモールセルを弾力的に活用できる。
【００８３】
以上、本発明の実施形態について図面を参照して詳述してきたが、具体的な構成はこの実施形態に限られるものではなく、本発明の要旨を逸脱しない範囲の設計変更等も含まれる。
【００８４】
例えば、端末ＵＥからの測定報告は、端末ＵＥが自律的に行ってもよく、又は、基地局ｅＮＢからの測定要求によって端末ＵＥが行ってもよい。また、該測定報告は繰り返し行われてもよい。
【００８５】
また、上述した実施例１，２では、基地局ｅＮＢがＡＮＲ機能を利用して端末ＵＥからセルタイプ情報を取得したが、端末ＵＥからの測定報告や端末ＵＥへの情報要求に対する情報報告は、ＡＮＲ機能に含まれるものに限定されず、それ単独の機能として実現されてもよく、又は、任意の機能に含まれるものを利用してもよい。
【００８６】
また、基地局ｅＮＢが、端末ＵＥからの測定報告によるセルタイプ情報の取得と、端末ＵＥへの情報要求に対する情報報告によるセルタイプ情報の取得とを、それぞれ単独で実施してもよく、又は、両方を組み合わせて実施してもよい。
【００８７】
例えば、上述した実施形態では、無線通信システムの一例としてＬＴＥシステムを挙げたが、ＬＴＥシステム以外の他の無線通信システムにも同様に適用可能である。
【００８８】
また、上述した端末ＵＥまたは基地局ｅＮＢの機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００８９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９０】
１１，２１…無線通信部、１２，２３…制御部、１３，２４…記憶部、１４…入力部、１５…出力部、２２…通信部、２３１…ＡＮＲ機能部、２４１…ＮＲＴ、ｅＮＢ…基地局（無線基地局装置）、ＵＥ…端末（無線端末装置）
【図１】
2015177523.tif 000003
【図２】
2015177523.tif 000004
【図３】
2015177523.tif 000005
【図４】
2015177523.tif 000006
【図５】
2015177523.tif 000007
【図６】
2015177523.tif 000008
【図７】
2015177523.tif 000009
【図８】
2015177523.tif 000010
【図９】
2015177523.tif 000011
【図１０】
2015177523.tif 000012
【図１１】
2015177523.tif 000013
【図１２】
2015177523.tif 000014
【図１３】
2015177523.tif 000015